(57)【要約】      （修正有）【課題】カラオケ歌唱時に再生する背景映像を、楽曲に依存せず、カラオケの利用単位で選択が可能ネットワークカラオケシステムを提供する。【解決手段】ネットワークカラオケシステムは、利用者の利用単位をセッションで管理し、同一セッション内に楽曲再生指示を行う際に、前回予約再生指示送信時と同じ背景映像を指定できるように選択し、選択する背景映像は、当該ネットワークカラオケシステムの標準映像、利用者が当該ネットワークカラオケシステムに取り込んだ映像、他の利用者が当該ネットワークカラオケシステムに取り込み、当該ネットワークカラオケシステムで公開している映像の区分の少なくとも１以上の区分からの選択映像である。【選択図】なし【特許請求の範囲】
【請求項１】
利用者の利用単位をセッションで管理することができるネットワークカラオケシステムにおいて、楽曲再生指示送信時に１つ以上の背景映像をリモコン装置から指定できることを特徴とするネットワークカラオケシステム。
【請求項２】
前記請求項１において、同一セッション内に楽曲再生指示を行う際に、前回予約再生指示送信時と同じ背景映像を指定できるように選択できることを特徴とする前記請求項１記載のネットワークカラオケシステム。
【請求項３】
上記請求項１乃至請求項２のネットワークカラオケシステムにおいて、選択する背景映像は、当該ネットワークカラオケシステムの標準映像、利用者が当該ネットワークカラオケシステムに取り込んだ映像、他の利用者が当該ネットワークカラオケシステムに取り込み、当該ネットワークカラオケシステムで公開している映像の区分の少なくとも１以上の区分からの選択であることを特徴とする請求項１乃至請求項２記載のネットワークカラオケシステム。
【請求項４】
上記請求項３のネットワークカラオケシステムにおいて、選択する複数の背景映像の中には、当該ネットワークカラオケシステムの標準映像、利用者が当該ネットワークカラオケシステムに取り込んだ映像、他の利用者が当該ネットワークカラオケシステムに取り込み、当該ネットワークカラオケシステムで公開している映像が混在していることを妨げないことを特徴とする請求項３記載のネットワークカラオケシステム。
【請求項５】
上記請求項１乃至請求項４のネットワークカラオケシステムにおいて、選択する背景映像は、グループとして指定することができ、グループは複数作成が可能であることを特徴とする請求項１乃至請求項４記載のネットワークカラオケシステム。
【請求項６】
上記請求項５のネットワークカラオケシステムにおいて、選択する背景映像のグループの作成者は、当該ネットワークカラオケシステム提供者、利用者本人、他の利用者であることを特徴とする請求項５記載のネットワークカラオケシステム。
【請求項７】
カラオケ装置と、カラオケ装置を操作する任意数の１アカウント１台、あるいは複数アカウントで１台のリモコン端末装置とを接続し、同一セッション内で複数人の利用者が１人１アカウントを持つことができる上記ネットワークカラオケシステムにおいて、上記背景映像の選択は利用者のアカウント毎に可能なことを特徴とする請求項１乃至請求項６記載のネットワークカラオケシステム。
【発明の詳細な説明】
【技術分野】
【０００１】
本発明は、カラオケ演奏において、サーバにアップロードされた様々な画像の中から、好きな画像、映像を選択して歌唱時の背景映像として利用する技術に関する。
【背景技術】
【０００２】
従来、カラオケ歌唱時に表示されるカラオケ背景映像は一般に、一つの背景映像を複数のカラオケ曲に使い回したり、または一つの背景映像を一つのカラオケ曲のみに用いたりすることが多く、多くの場合カラオケ機器や提供会社の作成した、いわゆる「既製品」であった。
【０００３】
一方、カラオケはネットワーク化しており、ネットワークカラオケの会員になると、ネットワークを利用した様々なサービスを受けられることもできる。
【０００４】
なかには、カラオケネットワークに様々なコミュニティを創り、仲間同士で自作の映像を公開しあって楽しむ利用者もいる。
【０００５】
カラオケの背景映像に関しては各社からさまざまな提案がされている。
【先行技術文献】
【特許文献】
【０００６】
【特許文献１】特開２００３−１０８１５７号公報
【特許文献２】特開２０１１−７５７０１号公報
【特許文献３】特開２００９−２１６８７６号公報
【発明の概要】
【発明が解決しようとする課題】
【０００７】
特許文献１は、映像サーバが多数のカラオケ演奏端末や投稿者コンピュータと通信し、投稿者コンピュータからカラオケ楽曲を特定する情報とカラオケ映像作品とを受け取って映像データベースに楽曲識別子をキーとして登録し、カラオケ演奏端末に映像データベースの索引情報を配信し、カラオケ演奏端末はこの索引情報を適時に出力するともに、カラオケ楽曲を特定して該当のカラオケ映像作品を映像サーバから取り寄せ、あるカラオケ楽曲を演奏する際に映像サーバから取り寄せたその楽曲用のカラオケ映像作品を再生して表示するカラオケ映像作品の投稿を受け付けてカラオケ演奏端末で利用する。
【０００８】
特許文献２は、サービスサーバがユーザ情報またはカラオケ選曲情報を受信すると、アップロードされた撮像画像のデータベースが記憶されている画像データベース装置から、ユーザ情報またはカラオケ選曲情報に応じた撮像画像を必要数、検索して抽出する。それから、サービスサーバは抽出した撮像画像を組み合わせてカラオケ背景映像を生成し、そのカラオケ背景映像のデータをカラオケ選曲情報に応じたカラオケデータ（曲データ、歌詞データ）と一緒にして、ユーザの使用する端末へ送信する。
【０００９】
特許文献３は、ユーザが用意した画像を用いたカラオケコンテンツを作成し、他者へ公開できる装置およびシステムを提供することを目的としており、
カラオケコンテンツ作成装置は、画像データの入力を受け付け、カラオケの伴奏データおよび歌詞データを含み、予め記憶された楽曲データの中から、一の選択を受け付け、画像データと選択された楽曲データとを合成し、この画像データを背景としたカラオケ用のコンテンツデータを生成し、生成されたコンテンツデータを、複数の端末装置からアクセス可能なストレージサーバに送信するというものである。
【００１０】
特許文献２、特許文献３は、ユーザの作成した画面を配信するしくみの提案であるが、選択画面の提案がない。
特許文献１は、ユーザが作成した映像の一つを、特定のカラオケ楽曲データとして合成して提供するものであり、選択された映像をユーザが歌唱したい楽曲と自由に組み合わせるわけにはいかない。
【課題を解決するための手段】
【００１１】
そこで本発明の請求項１は、利用者の利用単位をセッションで管理することができるネットワークカラオケシステムにおいて、
楽曲再生指示送信時に１つ以上の背景映像をリモコン装置から指定できることを特徴とするネットワークカラオケシステムを提案するものである。
【００１２】
また本発明の請求項２は、
前記請求項１において、同一セッション内に楽曲再生指示を行う際に、前回予約再生指示送信時と同じ背景映像を指定できるように選択できることを特徴とする前記請求項１記載のネットワークカラオケシステムである。
【００１３】
また本発明の請求項３は、
上記請求項１乃至請求項２のネットワークカラオケシステムにおいて、選択する背景映像は、当該ネットワークカラオケシステムの標準映像、利用者が当該ネットワークカラオケシステムに取り込んだ映像、他の利用者が当該ネットワークカラオケシステムに取り込み、当該ネットワークカラオケシステムで公開している映像の区分の少なくとも１以上の区分からの選択であることを特徴としている。
【００１４】
また本発明の請求項４は、
上記請求項３のネットワークカラオケシステムにおいて、選択する複数の背景映像のグループの中には、当該ネットワークカラオケシステムの標準映像、利用者が当該ネットワークカラオケシステムに取り込んだ映像、他の利用者が当該ネットワークカラオケシステムに取り込み、当該ネットワークカラオケシステムで公開している映像が混在していることを妨げないことを特徴としている。
【００１５】
また本発明の請求項５は、
上記請求項１乃至請求項４のネットワークカラオケシステムにおいて、選択する背景映像は、グループとして指定することができ、グループは複数作成が可能であることを特徴としている。
【００１６】
また本発明の請求項６は、
上記請求項５のネットワークカラオケシステムにおいて、選択する背景映像のグループの作成者は、当該ネットワークカラオケシステム提供者、利用者本人、他の利用者であることを特徴としている。
【００１７】
また本発明の請求項７は、
請求項１乃至請求項６記載のネットワークカラオケシステムにおいて、
カラオケ装置と、カラオケ装置を操作する任意数の１アカウント１台、あるいは複数アカウントで１台のリモコン端末装置とを接続し、同一セッション内で複数人の利用者が１人１アカウントを持つことができる上記ネットワークカラオケシステムにおいて、上記背景映像の選択は利用者のアカウント毎に可能なことを特徴としている。
【発明の効果】
【００１８】
これにより、利用者は自分や友達、他の会員などが作成したオリジナルの背景映像やカラオケ業者提供の標準映像であっても歌唱時に簡単に利用することができる。
【図面の簡単な説明】
【００１９】
【図１】本発明の実施例に係る背景映像選択画面の流れ
【発明を実施するための形態】
【００２０】
利用者は、歌唱選曲の際、カラオケのリモコン端末装置として動作する自分の多機能携帯端末で選曲において、まず図１（１）の画面でセッション単位での背景映像を指定することを選択した場合、図１（２）のような背景映像選択画面により背景映像の選択を行う。
【００２１】
この選択画面、図１（２）では、個々の映像を個別に指定してもよいし（メニュー１）すでに作成済みのグループを指定してもよいし（メニュー２）新規グループを作成（メニュー３）してもよい。
【００２２】
ここで、メニュー１の個別指定を選択した場合、図１（３）のような画面になり、自作の映像、他の会員が投稿した映像、カラオケ業者があらかじめ提供している標準映像等の選択ができる。ここで自作映像（メニュー１）を選択した場合、さらに細かい図１（４）のような分類画面が表示され、最終的に図１（５）の画面で個々の映像の選択をおこなう。ここではチェックボックス２をタップすることによりチェックが入り選択されるイメージである。
【００２３】
また、図１（２）の画面で、すでに作成済みのグループ（ここでは山登りシリーズ  メニュー２）を選択した場合、図１（６）のように「山登りシリーズ」に登録されている映像のメニューが表示され、タップすることで選択が可能となる。
【００２４】
図１（２）で、新規グループの作成（メニュー４）を選択した場合、グループに入れる映像を選択させるために、図１（７）のような画面が表示され、上記図１（３）と同じように自作の映像、他の会員が投稿した映像、カラオケ業者があらかじめ提供している標準映像等の選択ができる。
【００２５】
ここで自作映像（メニュー１）を選択した場合、さらに細かい図１（８）のような分類画面が表示され、最終的に図１（９）の画面で個々の映像の選択をおこなう。ここではチェックボックス２をタップすることによりチェックが入り選択されるイメージである。
【符号の説明】
【００２６】
１・・・・「＞」ボタン
２・・・・チェックボックス
【図１】
2019109320.tif 000002